(57)【要約】【課題】表示中でない画面に配置されている処理の実行を指示するための指示受付部を、表示中の画面で操作し得る。【解決手段】処理装置は、処理の実行を指示するための１又は複数のアイコンを含むアイコン画面ＳＣ１，ＳＣ２，ＳＣ３を選択的に表示する。処理装置は、表示中のアイコン画面ＳＣ１内のアイコンを短押しで指定する操作を受け付けると、そのアイコンに応じた処理を実行する。処理装置は、表示中のアイコン画面ＳＣ１内のアイコンを、長押しで指定する操作を受け付けると、そのアイコンと属性が共通するアイコン画面ＳＣ２，ＳＣ３内のアイコンを、表示領域Ｔ１に配置して表示する。【選択図】図７
2018032249.tif 000002
【特許請求の範囲】
【請求項１】
処理の実行を指示するための１又は複数の指示受付部を含む画面として、第１の画面、及び第２の画面を選択的に表示する表示部と、
表示中の前記第１の画面内又は前記第２の画面内の位置を指定する操作を受け付ける受付部と、
第１の操作を受け付けた場合、当該第１の操作で指定された位置に存在する前記指示受付部に応じた処理を実行する実行部と、
表示中の前記第１の画面内の位置を指定する第２の操作を受け付けた場合、当該位置に応じて、前記第２の画面内の少なくともいずれかの前記指示受付部を、前記第１の画面内に配置する配置部と
を備える処理装置。
【請求項２】
前記配置部は、
前記第２の操作で指定された位置に前記指示受付部が存在する場合、当該指示受付部の属性に応じた前記第２の画面内の前記指示受付部を、前記第１の画面内に配置する
ことを特徴とする請求項１に記載の処理装置。
【請求項３】
前記配置部は、
前記第２の操作で指定された位置によって２以上の前記指示受付部が囲まれた場合、当該２以上の前記指示受付部の属性に応じた前記第２の画面内の前記指示受付部を、前記第１の画面内に配置する
ことを特徴とする請求項１又は請求項２に記載の処理装置。
【請求項４】
前記配置部は、
前記第２の操作で指定された位置に対応する前記第２の画面内の位置に存在する前記指示受付部を、前記第１の画面に配置する
ことを特徴とする請求項１から請求項３のいずれか１項に記載の処理装置。
【請求項５】
前記配置部は、
前記第２の操作で指定された位置によって前記第１の画面内の一部の領域が指定された場合、当該領域の位置に対応する前記第２の画面内の位置に存在する前記指示受付部を、前記第１の画面に配置する
ことを特徴とする請求項４に記載の処理装置。
【請求項６】
処理の実行を指示するための１又は複数の指示受付部を含む画面として、第１の画面、及び第２の画面を選択的に表示して、表示中の前記第１の画面内又は前記第２の画面内の位置を指定する操作を受け付け、第１の操作を受け付けた場合、当該第１の操作で指定された位置に存在する前記指示受付部に応じた処理を実行する処理装置のコンピュータに、
表示中の前記第１の画面内の位置を指定する第２の操作を受け付けた場合、当該位置に応じて、前記第２の画面内の少なくともいずれかの前記指示受付部を、前記第１の画面内に配置するステップを実行させるためのプログラム。
【発明の詳細な説明】
【技術分野】
【０００１】
本発明は、処理装置及びプログラムに関する。
【背景技術】
【０００２】
画像形成装置等の処理装置は、アイコンの操作に応じて、そのアイコンと関連付けられた処理を実行する機能を有することがある。また、この処理装置が、複数の画面の各画面に配置されたアイコンを表示する場合もある。例えば特許文献１には、１回の操作で処理の実行を開始させるためのワンタッチ選択用ボタンを表示する場合に、そのボタンの配置可能な領域を制限することが記載されている。また、特許文献１には、ユーザの操作負担を軽減するため、使用頻度が高い、或いはユーザが作成したワンタッチ選択用ボタンを、初期表示メニューに表示することで、ページ送りの操作負担を軽減することが記載されている。
【先行技術文献】
【特許文献】
【０００３】
【特許文献１】特開２０１５−１１４９１５号公報
【発明の概要】
【発明が解決しようとする課題】
【０００４】
複数の画面の各画面にアイコンが配置されている場合、ユーザは、目的のアイコンが配置された画面を表示させる操作をしてから、そのアイコンを選択する操作をしなければならない。
本発明の目的は、表示中でない画面に配置されている処理の実行を指示するための指示受付部を、表示中の画面で操作し得るようにすることである。
【課題を解決するための手段】
【０００５】
本発明の請求項１に係る処理装置は、処理の実行を指示するための１又は複数の指示受付部を含む画面として、第１の画面、及び第２の画面を選択的に表示する表示部と、表示中の前記第１の画面内又は前記第２の画面内の位置を指定する操作を受け付ける受付部と、第１の操作を受け付けた場合、当該第１の操作で指定された位置に存在する前記指示受付部に応じた処理を実行する実行部と、表示中の前記第１の画面内の位置を指定する第２の操作を受け付けた場合、当該位置に応じて、前記第２の画面内の少なくともいずれかの前記指示受付部を、前記第１の画面内に配置する配置部とを備える。
【０００６】
本発明の請求項２に係る処理装置は、請求項１に係る構成において、前記配置部は、前記第２の操作で指定された位置に前記指示受付部が存在する場合、当該指示受付部の属性に応じた前記第２の画面内の前記指示受付部を、前記第１の画面内に配置することを特徴とする。
【０００７】
本発明の請求項３に係る処理装置は、請求項１又は請求項２に係る構成において、前記配置部は、前記第２の操作で指定された位置によって２以上の前記指示受付部が囲まれた場合、当該２以上の前記指示受付部の属性に応じた前記第２の画面内の前記指示受付部を、前記第１の画面内に配置することを特徴とする。
【０００８】
本発明の請求項４に係る処理装置は、請求項１から請求項３のいずれか１項に係る構成において、前記配置部は、前記第２の操作で指定された位置に対応する前記第２の画面内の位置に存在する前記指示受付部を、前記第１の画面に配置することを特徴とする。
【０００９】
本発明の請求項５に係る処理装置は、請求項１から請求項４のいずれか１項に係る構成において、前記配置部は、前記第２の操作で指定された位置によって前記第１の画面内の一部の領域が指定された場合、当該領域の位置に対応する前記第２の画面内の位置に存在する前記指示受付部を、前記第１の画面に配置することを特徴とする。
【００１０】
本発明の請求項６に係るプログラムは、処理の実行を指示するための１又は複数の指示受付部を含む画面として、第１の画面、及び第２の画面を選択的に表示して、表示中の前記第１の画面内又は前記第２の画面内の位置を指定する操作を受け付け、第１の操作を受け付けた場合、当該第１の操作で指定された位置に存在する前記指示受付部に応じた処理を実行する処理装置のコンピュータに、表示中の前記第１の画面内の位置を指定する第２の操作を受け付けた場合、当該位置に応じて、前記第２の画面内の少なくともいずれかの前記指示受付部を、前記第１の画面内に配置するステップを実行させるためのプログラムである。
【発明の効果】
【００１１】
請求項１，６に係る発明によれば、表示中でない画面に配置されている処理の実行を指示するための指示受付部を、表示中の画面で操作し得るようにすることができる。
請求項２に係る発明によれば、ユーザが指定した指示受付部の属性と関連がある指示受付部を、操作し得るようにすることができる。
請求項３に係る発明によれば、ユーザが指定した２以上の指示受付部の少なくともいずれかの指示受付部の属性と関連がある指示受付部を、操作し得るようにすることができる。
請求項４に係る発明によれば、表示中の画面内の位置が指定されると、表示中でない画面に含まれる当該位置に対応する位置の指示受付部を、操作し得るようにすることができる。
請求項５に係る発明によれば、表示中の画面内の一部の領域が指定されると、表示中でない画面に含まれる当該領域の位置に対応する位置の指示受付部を、操作し得るようにすることができる。
【図面の簡単な説明】
【００１２】
【図１】本発明の一実施形態に係る処理装置の構成を示すブロック図。
【図２】同実施形態に係るアイコン画面の一例を示す図。
【図３】同実施形態に係る処理装置の機能構成を示すブロック図。
【図４】同実施形態に係る処理装置が行う処理を示すフローチャート。
【図５】図４に続く処理を示すフローチャート。
【図６】同実施形態に係る処理装置が実行するアイコンの短押し時の処理の説明図。
【図７】同実施形態に係る処理装置が実行するアイコンの長押し時の処理の説明図。
【図８】同実施形態に係る処理装置が実行するアイコンの長押し時の処理の説明図。
【図９】同実施形態に係る処理装置が実行する領域の指定時の処理の説明図。
【図１０】本発明の変形例１に係る処理装置が実行するアイコンの長押し時の処理を説明図。
【図１１】同変形例に係る処理装置が実行する領域の指定時の処理の説明図。
【図１２】本発明の変形例３に係る処理装置が表示するアイコン画面の説明図。
【発明を実施するための形態】
【００１３】
［実施形態］
以下、本発明の処理装置を処理装置１０に適用した場合を説明する。処理装置１０は、コピー機能、スキャン機能、及びファクシミリ送信機能を含む複数の機能を有する画像形成装置である。
【００１４】
図１は、処理装置１０のハードウェア構成を示すブロック図である。処理装置１０は、制御部１１と、タッチスクリーン１２と、通信部１３と、スタートボタン１４と、画像読取部１５と、画像形成部１６と、記憶部１７とを備える。
制御部１１は、処理装置１０の各部を制御する。制御部１１は、例えばＣＰＵ（Central Processing Unit）、ＲＯＭ（Read Only Memory）、及びＲＡＭ（Random Access Memory）を含むプロセッサを有する。ＣＰＵは、ＲＯＭ又は記憶部１７に記憶されたプログラムをＲＡＭに読み出して実行する。ＣＰＵは、ＲＡＭを作業領域として用いて、各種の制御を行う。タッチスクリーン１２は、画像を表示する表示部１２１と、表示部１２１の表示面に重ねて設けられたタッチパネル１２２とを含む。タッチパネル１２２は、ユーザにより操作される操作部の一例である。通信部１３は、外部の装置と通信する。通信部１３は、電話回線、及びインターネット等の通信回線を介して通信する。通信部１３は、例えばモデムを有する。
【００１５】
スタートボタン１４は、処理装置１０に処理の実行の開始を指示するための操作子である。スタートボタン１４は、ユーザにより操作される操作部の一例である。画像読取部１５は、原稿の画像を読み取って、読み取った画像を示す画像データを生成する。画像読取部１５は、例えばスキャナを有する。画像形成部１６は、用紙等の媒体に画像を形成する。画像形成部１６は、例えば電子写真方式を採用したプリンタを有する。記憶部１７は、データを記憶する。記憶部１７は、例えば、制御部１１が実行するプログラム、及びアイコン情報１７１を記憶する。アイコン情報１７１は、処理装置１０が表示するアイコンに関する情報である。アイコンは、決められた処理の実行を指示するために操作される指示受付部の一例である。アイコン情報１７１は、例えば、アイコンの操作に応じて実行される処理、並びに、アイコンが表示される画面（後述するアイコン画面）及び当該画面内で配置される位置を示す情報を含む。記憶部１７は、例えばハードディスク装置を有する。
【００１６】
処理装置１０において、コピー機能が利用される場合、制御部１１は、画像読取部１５に原稿の画像を読み取らせる。そして、制御部１１は、画像読取部１５によって生成された画像データに応じた画像を、画像形成部１６により媒体に形成させる。スキャン機能が利用される場合、制御部１１は、画像読取部１５に原稿の画像を読み取らせる。そして、制御部１１は、画像読取部１５によって生成された画像データを、通信部１３を介して送信する。ファクシミリ送信機能が利用される場合、制御部１１は、画像読取部１５に原稿の画像を読み取らせる。そして、制御部１１は、画像読取部１５によって生成された画像データを、通信部１３を介して、図示せぬ電話回線を介してファクシミリで送信する。
【００１７】
図２は、処理装置１０が表示するアイコン画面を示す図である。
アイコン画面は、１又は複数のアイコンを配置した画面である。処理装置１０は、アイコン画面ＳＣ１，ＳＣ２，ＳＣ３を選択的に表示する。アイコン画面ＳＣ１，ＳＣ２，ＳＣ３では、横方向に４列、及び縦方向に２行の計８個の領域に区分し、各領域にアイコンを配置可能になっている。各領域に配置するアイコンの配置の有無や、配置するアイコンの種類については、ユーザが指定可能である。
【００１８】
図２に示すように、アイコン画面ＳＣ１にはアイコンＩ１〜Ｉ７が、アイコン画面ＳＣ２にはアイコンＩ８〜Ｉ１４が、アイコン画面ＳＣ３にはアイコンＩ１５〜Ｉ１７が配置されている。本実施形態のアイコンには、右上隅部に丸囲みの「１」が付されたアイコンと、そうではないアイコンとが存在する。前者のアイコンは、利用する機能の種別、当該機能に係る処理に使用するパラメータの設定、及び当該処理の実行の開始を、１回の操作で指示するためのアイコンである。このようなアイコンを、以下では、「ワッチタッチ選択用アイコン」という。ユーザが、ワンタッチ選択用アイコンを指定する（選択する）操作を行った場合、処理装置１０は、当該アイコンに応じた処理の実行を開始する。
【００１９】
ワッチタッチ選択用アイコン以外のアイコンは、ユーザにより操作されただけでは、処理の実行が開始されないものとする。このアイコンが指定されると、例えば、処理に使用するパラメータを設定するための画面に切り替わる。パラメータの設定後、スタートボタン１４の操作に応じて、処理装置１０は処理の実行を開始する。
【００２０】
処理装置１０は、タッチパネル１２２に対するスワイプ操作を受け付けると、表示中のアイコン画面を、表示中でないアイコン画面に遷移させる。スワイプ操作は、タッチパネル１２２に指示体（典型的には指）を触れさせたまま、一方向に滑らせる操作である。アイコン画面ＳＣ１の表示中に、上方のスワイプ操作が行われた場合、処理装置１０は、アイコン画面ＳＣ１からアイコン画面ＳＣ２に遷移させる。アイコン画面ＳＣ２の表示中に、上方のスワイプ操作が行われた場合、処理装置１０は、アイコン画面ＳＣ２からアイコン画面ＳＣ３に遷移させる。アイコン画面ＳＣ３の表示中に、下方のスワイプ操作が行われた場合、処理装置１０は、アイコン画面ＳＣ３からアイコン画面ＳＣ２に遷移させる。アイコン画面ＳＣ２の表示中に、下方のスワイプ操作が行われた場合、処理装置１０は、アイコン画面ＳＣ２からアイコン画面ＳＣ１に遷移させる。
なお、画面を遷移させる操作は、スワイプ操作以外の操作であってもよい。また、アイコン画面の数は、３つに限られず、２つ又は４つ以上であってもよい。
【００２１】
図３は、処理装置１０の制御部１１の機能構成を示すブロック図である。制御部１１は、表示制御部１１１と、受付部１１２と、実行部１１３と、配置部１１４とを含む。
表示制御部１１１は、表示部１２１の表示を制御する。表示制御部１１１は、記憶部１７に記憶されたアイコン情報１７１に基づいて、アイコン画面ＳＣ１，ＳＣ２，ＳＣ３を選択的に表示させる。即ち、表示部１２１には、いずれか一のアイコン画面が表示される。アイコン画面ＳＣ１，ＳＣ２，ＳＣ３のうち、一のアイコン画面が本発明の第１の画面の一例であり、当該一のアイコン画面以外のアイコン画面が本発明の第２の画面の一例である。
【００２２】
受付部１１２は、タッチパネル１２２、及びスタートボタン１４を用いたユーザの操作を受け付ける。受付部１１２は、例えば、タッチパネル１２２を用いて、表示中のアイコン画面内の位置を指定する操作を受け付ける。受付部１１２は、指定された位置にアイコンが存在する場合、この操作を、アイコンを指定する操作として受け付ける。受付部１１２は、受け付けた操作を、表示制御部１１１、実行部１１３、及び配置部１１４に通知する。
【００２３】
実行部１１３は、受付部１１２が受け付けた操作に応じて、通信部１３、画像読取部１５、及び画像形成部１６を用いた処理を実行する。実行部１１３は、ワンタッチ選択用アイコンを指定する操作が短押しの操作である場合、そのアイコンに応じた処理を実行する。短押しの操作は、本発明の第１の操作の一例である。短押しの操作は、タッチパネル１２２に連続して指等の指示体が触れた時間が、決められた時間未満の操作である。また、実行部１１３は、ワンタッチ選択用でないアイコンが短押しされた場合、スタートボタン１４の操作が受け付けられたことを契機に、当該アイコンに応じた処理を実行する。
【００２４】
配置部１１４は、表示中のアイコン画面内に、表示中でないアイコン画面内のアイコンを配置する。配置部１１４は、表示中のアイコン画面内の位置を指定する操作が、長押しの操作である場合、その位置に応じて、表示中でないアイコン画面内のアイコンを配置する。長押しの操作は、本発明の第２の操作の一例である。長押しの操作は、タッチパネル１２２に連続して指等の指示体が触れた時間が、短押しよりも長い、決められた時間以上の操作である。アイコンを配置する処理は、具体的には、アイコン情報１７１を更新する処理である、表示制御部１１１は、更新後のアイコン情報１７１に従って、アイコン画面の表示を変更する。
【００２５】
図４、及び図５は、処理装置１０が行う処理を示すフローチャートである。
表示制御部１１１は、いずれか一のアイコン画面を、表示部１２１に表示させる（ステップＳ１）。ここでは、図２で説明したアイコン画面ＳＣ１が表示されたものとする。受付部１１２は、アイコン画面の表示中において、アイコン画面内の位置を指定する操作を受け付ける（ステップＳ２）。
【００２６】
次に、実行部１１３は、ステップＳ２で受け付けられた操作が、アイコンの短押しかどうかを判定する（ステップＳ３）。ステップＳ３で「ＹＥＳ」と判定した場合、実行部１１３は、短押しにより指定されたアイコンに応じた処理を実行する（ステップＳ４）。図６の上段に示すように、ユーザが指ＦでアイコンＩ４を短押しした場合、実行部１１３は、アイコンＩ４に応じた処理を実行する。アイコンＩ４は、ワンタッチ選択用アイコンで、スキャン機能に係る処理が実行される。この処理には、アイコンＩ４と関連付けられたパラメータが用いられる。この処理の実行中において、表示制御部１１１は、図６の下段に示すように、処理の実行中であることを示す実行中画面ＳＣ１１を、表示部１２１に表示させる。短押しされたアイコンが、ワンタッチ選択用アイコンでない場合は、スタートボタン１４が押されたことを契機に、そのアイコンに応じた処理が実行される。
【００２７】
ステップＳ３で「ＮＯ」と判定された場合、配置部１１４は、ステップＳ２で受け付けられた操作が、アイコンの長押しかどうかを判定する（ステップＳ５）。ステップＳ５で「ＹＥＳ」と判定した場合、配置部１１４は、指定されたアイコンがワンタッチ選択用アイコンかどうかを判定する（ステップＳ６）。ステップＳ６で「ＹＥＳ」と判定した場合、配置部１１４は、表示中のアイコン画面内に、表示領域Ｔ１を重畳して表示させる（ステップＳ７）。図７の上段に示すように、ユーザが指ＦでアイコンＩ４を長押しした場合、配置部１１４は、アイコンＩ４に応じた１以上のアイコンを含む表示領域Ｔ１を、アイコン画面ＳＣ１において表示する。配置部１１４は、表示中でないアイコン画面内の全てのワンタッチ選択用アイコンを、表示領域Ｔ１に配置する。即ち、このステップＳ７では、配置部１１４は、アイコン画面ＳＣ２，ＳＣ３に配置されている、アイコンＩ８，Ｉ９，Ｉ１０，Ｉ１１，Ｉ１５，Ｉ１６を表示領域Ｔ１に配置する。このように、ユーザが指定したアイコンと、表示領域Ｔ１に配置されるアイコンとは、いずれもワンタッチ用アイコンであるという点で属性が共通する。
表示領域Ｔ１は、ここでは吹き出しを模した領域であるが、これに限られない。例えば、ウィンドウが用いられてもよい。
【００２８】
次に、配置部１１４は、タッチパネル１２２から指が離されたかどうかを判定する（ステップＳ８）。ステップＳ８で「ＮＯ」と判定した場合、つまり、タッチパネル１２２に指が触れたままの場合、配置部１１４はステップＳ７に戻って、表示領域Ｔ１の表示を続ける。
【００２９】
ステップＳ８で「ＹＥＳ」、つまり、タッチパネル１２２から指が離されたと判定された場合、実行部１１３は、指が離された位置にアイコンが存在するかどうかを判定する（ステップＳ９）。図７の中段に示すように、ユーザの指Ｆがタッチパネル１２２に触れたまま、表示領域Ｔ１内のアイコンＩ１６の位置に移動し、その位置で指Ｆが離されたとする。この場合、実行部１１３は、ステップＳ９で「ＹＥＳ」と判定し、アイコンＩ１６に応じた処理を実行する（ステップＳ１０）。つまり、指をタッチパネル１２２から離す操作は、その離された位置に存在するアイコンを指定する操作となる。ここでは、モノクロＡ４コピーが実行される。この処理の実行中において、表示制御部１１１は、図７の下段に示すように、処理の実行中であることを示す実行中画面ＳＣ１２を、表示部１２１に表示させる。
【００３０】
ステップＳ９で「ＮＯ」と判定された場合、つまり指が離れされた位置にアイコンが存在しない場合、配置部１１４は表示領域Ｔ１の表示を終了する。そして、処理装置１０の処理は、ステップＳ１に戻される。
【００３１】
ステップＳ６において、配置部１１４が、指定されたアイコンがワンタッチ選択用アイコンでないと判定した場合（ステップＳ６；ＮＯ）、表示中のアイコン画面に、表示領域Ｔ２を重畳して表示させる（ステップＳ１１）。図８の上段に示すように、ユーザが指ＦでアイコンＩ１を長押しした場合、配置部１１４は、アイコンＩ１に応じた１以上のアイコンを含む表示領域Ｔ２を、アイコン画面ＳＣ１において表示する。本実施形態では、ワンタッチ選択用アイコンでないアイコンが長押しされた場合、配置部１１４は、表示中でないアイコン画面内のアイコンであって、長押しされたアイコンと利用する機能が共通するアイコンを、表示領域Ｔ２に配置する。即ち、このステップＳ１１では、配置部１１４は、アイコン画面ＳＣ２，ＳＣ３に配置されている、アイコンＩ８，Ｉ１０，Ｉ１１，Ｉ１６を表示領域Ｔ２に配置する。アイコンＩ８，Ｉ１０，Ｉ１１，Ｉ１６は、いずれも、コピー機能に係る処理の実行を指示するためのアイコンである。このように、ユーザが指定したアイコンと、表示領域Ｔ２に配置されるアイコンとは、利用する機能という点で属性が共通する。
【００３２】
次に、配置部１１４は、タッチパネル１２２から指が離されたかどうかを判定する（ステップＳ１２）。ステップＳ１２で「ＮＯ」と判定した場合、つまり、タッチパネル１２２に指が触れたままの場合、配置部１１４はステップＳ１１に戻って、表示領域Ｔ２の表示を続ける。
【００３３】
ステップＳ１２で「ＹＥＳ」、つまり、タッチパネル１２２から指が離されたと判定された場合、実行部１１３は、ステップＳ９に進む。つまり、実行部１１３は、指が離された位置にアイコンが存在するかどうかを判定し、その位置にアイコンが存在する場合には、当該アイコンに応じた処理を実行する（ステップＳ９，Ｓ１０）。図８の中段に示すように、ユーザの指Ｆがタッチパネル１２２に触れたまま、表示領域Ｔ２内のアイコンＩ１１の位置に移動し、その位置で指Ｆが離されたとする。この場合、実行部１１３はコピー機能に係る処理を実行する。この処理には、アイコンＩ１１と関連付けられたパラメータが用いられる。この処理の実行中において、表示制御部１１１は、図８の下段に示すように、処理の実行中であることを示す実行中画面ＳＣ１３を、表示部１２１に表示させる。
【００３４】
ステップＳ５で「ＮＯ」と判定した場合、配置部１１４は、表示中のアイコン画面内の領域を指定する操作を受け付けたかどうかを判定する（ステップＳ１３）。アイコン画面内の領域を指定する操作は、タッチパネル１２２上にユーザが指を触れさせたまま、閉じた図形を描く操作である。ここでいう閉じた図形は、厳密に閉じた図形でなくてよく、閉じた図形とみなせる図形であればよい。例えば、タッチパネル１２２上で円を描く操作が該当する。ステップＳ１３で「ＹＥＳ」と判定した場合、配置部１１４は、表示中のアイコン画面に、表示領域Ｔ３を重畳して表示させる（ステップＳ１４）。図９の上段に示すように、ユーザが指Ｆで、アイコンＩ１，Ｉ２を囲むように、軌跡Ｌで表される図形を描く操作をしたとする。この場合、配置部１１４は、軌跡Ｌによって囲まれているアイコンＩ１，Ｉ２に応じた１以上のアイコンを表示領域Ｔ３に配置する。ここでは、配置部１１４は、軌跡Ｌによって囲まれたアイコンＩ１，Ｉ２の少なくともいずれかと属性が共通するアイコンを、表示領域Ｔ３に配置する。属性は、ワンタッチ選択用アイコン、及び利用する機能のいずれの属性であってもよい。コピー機能を利用するアイコンＩ１と、ファクシミリ送信機能を利用するアイコンＩ２とが軌跡Ｌによって囲まれている場合、配置部１１４は、例えば、コピー機能又はファクシミリ送信機能を利用するアイコンを、表示領域Ｔ３に配置する。具体的には、配置部１１４は、アイコンＩ８，Ｉ９，Ｉ１０，Ｉ１１，Ｉ１６を表示領域Ｔ３に配置する。
【００３５】
次に、配置部１１４は、タッチパネル１２２から指が離されたかどうかを判定する（ステップＳ１５）。ステップＳ１５で「ＮＯ」と判定した場合、つまり、タッチパネル１２２に指が触れたままの場合、配置部１１４はステップＳ１４に戻って、表示領域Ｔ３の表示を続ける。
【００３６】
ステップＳ１５で「ＹＥＳ」、つまり、タッチパネル１２２から指が離されたと判定された場合、実行部１１３は、ステップＳ９に進む。つまり、実行部１１３は、指が離された位置にアイコンが存在するかどうかを判定し、その位置にアイコンが存在する場合には、当該アイコンに応じた処理を実行する（ステップＳ９，Ｓ１０）。図９の下段に示すように、ユーザの指Ｆがタッチパネル１２２に触れたまま、表示領域Ｔ３内のアイコンＩ１０の位置に移動し、その位置で指Ｆが離されたとする。この場合、実行部１１３は縮小コピーを実行する。この処理の実行中においても、表示制御部１１１は、処理の実行中であることを示す画面（図示略）を、表示部１２１に表示させる。
ステップＳ１４では、配置部１１４は、軌跡で囲まれた１又は２以上のアイコンの全てと属性が共通するアイコンを配置してもよい。
【００３７】
ステップＳ１３で「ＮＯ」と判定した場合は、処理装置１０の処理は、ステップＳ１に戻される。
なお、配置部１１４は、前述した手順の処理により、アイコン画面ＳＣ２の表示中に、アイコン画面ＳＣ１、ＳＣ３のアイコンを表示し、また、アイコン画面ＳＣ３の表示中に、アイコン画面ＳＣ１、ＳＣ２のアイコンを表示する。
【００３８】
ワンタッチ選択用アイコンを設けた意義として、１回の操作で処理の実行の開始を指示し得る、という点がある。しかし、表示中でないアイコン画面にユーザの目的のアイコンが配置されている場合、このアイコンを選択するために、ユーザはアイコン画面を遷移させるための操作を要することがある。この操作負担が大きいと、ワンタッチ選択用アイコンを設けた意義が没却してしまう可能性がある。これに対し、処理装置１０は、表示中でないアイコン画面内のアイコンを、表示中のアイコン画面で操作し得るように表示する。よって、ユーザが目的のアイコンを指定する操作をするために、アイコン画面を遷移させるための操作をしなくてよい。また、ユーザは、表示中でないアイコン画面内のアイコンであって、長押しで指定したアイコンと属性が共通するアイコンを、表示されるアイコン画面を遷移させることなく発見し得る
【００３９】
［変形例］
本発明は、上述した実施形態と異なる形態で実施してもよい。また、以下に示す変形例は、各々を組み合わせてもよい。
＜変形例１＞
上述した実施形態では、処理装置１０は、長押しで指定されたアイコンと属性が共通するアイコンを、表示中のアイコン画面内に配置していた。これに対し、本変形例の処理装置１０は、タッチパネル１２２の操作で指定された位置に対応する別のアイコン画面内の位置に存在するアイコンを、表示中のアイコン画面内に配置してもよい。
（処理例１）
配置部１１４は、長押しで指定されたアイコンの位置と対応する位置のアイコンを、表示中のアイコン画面内に配置する。図１０に示すように、アイコン画面ＳＣ１の左上端に位置するアイコンＩ１が選択された場合、配置部１１４は、アイコン画面ＳＣ２の左上端に位置するアイコンＩ８と、アイコン画面ＳＣ３の左上端に位置するアイコンＩ１５とを、表示領域Ｔ４に配置する。
【００４０】
（処理例２）
配置部１１４は、図９で説明した方法でアイコン画面内の一部の領域が指定された場合、その領域の位置と対応する位置のアイコンを、表示中のアイコン画面内に配置する。図１１に示すように、アイコン画面ＳＣ１の左上端付近の領域を指定する操作が受け付けられた場合、配置部１１４は、アイコン画面ＳＣ２の左端付近の領域に位置するアイコンＩ８，Ｉ９と、アイコン画面ＳＣ３の左上端付近の領域に位置するアイコンＩ１５，Ｉ１６を、表示領域Ｔ５に配置する。
【００４１】
このように、配置部１１４は、複数のアイコン画面内の同じ位置に配置されている複数のアイコンを、表示中の画面内に配置する。ユーザは、処理装置１０を使用する過程で、各アイコンが画面内のどの位置に配置されているかを覚えていることがある。よって、ユーザは、覚えていた画面内の位置を手掛かりに、表示中のアイコン画面に目的のアイコンを表示させ得る。
【００４２】
＜変形例２＞
表示領域Ｔ１〜Ｔ３でのアイコンの並び順は、上述した実施形態では、アイコン画面順、及び同じアイコン画面内でのアイコンの並び順に従っていた。これに代えて、配置部１１４は、ユーザが作成したワンタッチ選択用アイコンを、それ以外のアイコンよりも並び順を先にして配置してもよい。また、配置部１１４は、使用頻度が高い順、又は使用回数が多い順等の、アイコンを指定する操作の実績に応じた並び順で、アイコンを配置してもよい。また、配置部１１４は、長押しで指定されたアイコンに近い位置のアイコンほど、並び順を先にして配置してもよい。アイコンの並び順については、様々な規則を採用し得る。
なお、同一のアイコン画面内で全てのアイコンを表示し得ない場合は、配置部１１４は、上記並び順に従って上位の決められた数のアイコンのみを配置してもよい。又は、配置部１１４は、スワイプ操作等の操作に応じてアイコンを変更し、全てのアイコンを表示し得るようにしてもよい。
【００４３】
＜変形例３＞
本発明の画面は、図２で説明したような、予めページ毎に区分された画面に限られない。図１２に示すように、複数のアイコンＩ１〜１１８が配置された領域全体を１ページの領域とし、表示中の領域を第１の画面、表示中でない領域のうちの少なくとも一部の領域を第２の画面としてもよい。この場合、アイコンＩ１〜Ｉ７が配置された領域の表示中はアイコン画面ＳＣ１が表示され、アイコンＩ４〜Ｉ１０が配置された領域の表示中はアイコン画面ＳＣ４が表示され、アイコンＩ８〜Ｉ１４が配置された領域の表示中はアイコン画面ＳＣ５が表示されていることになる。
【００４４】
＜変形例４＞
上述した実施形態では、配置部１１４は、ユーザが指定したアイコンと属性が共通するアイコンを、表示中のアイコン画面に配置していた。アイコンの属性が共通することに限られず、属性に何らかの関係があるアイコンが表示されれば、ユーザはアイコンを指定する操作により、どのアイコンが表示されるのかを予期し得る場合がある。また、この属性は、アイコン自体又は当該アイコンと関連付けられた処理に関する属性である。
【００４５】
＜変形例５＞
上述した実施形態では、配置部１１４は、長押しの操作に応じて、表示中でないアイコン画面内のアイコンを表示していた。長押しの操作に限られず、アイコンを決められた時間内に複数回指定する操作（２度押し）が採用されてもよい。つまり、処理の実行を指示するためのアイコンの操作と、別のアイコン画面内のアイコンを表示するための操作とを、処理装置１０が区別し得るようになっていればよい。
本発明の指示受付部は、ワンタッチ選択用アイコンを含まなくてもよい。また、本発明の指示受付部は、アイコンに限られず、処理の実行の指示を受け付ける要素（例えばメニューやボタン）であればよい。
【００４６】
＜変形例６＞
処理装置１０のハードウェア構成や機能構成は、上述した実施形態で説明した構成に限られない。
上述した実施形態で説明した処理装置１０の構成又は動作の一部を省略してもよい。
本発明の処理装置は、画像を形成する機能を有していなくてもよい。本発明の処理装置は、ユーザに指示された処理を実行する装置であればよく、具体的な処理の内容は特に問わない。よって、本発明の処理装置は、例えば、パーソナルコンピュータ等のコンピュータ装置や、スマートフォン等の携帯型の端末であってもよい。
【００４７】
上述した実施形態の制御部１１が実現する各機能は、１又は複数のハードウェア回路により実現されてもよいし、１又は複数のプログラムを演算装置が実行することにより実現されてよいし、これらの組み合わせにより実現されてもよい。また、制御部１１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読取可能な記録媒体に記憶した状態で提供されてもよいし、ネットワークを介して配信されてもよい。また、本発明は、コンピュータが行う処理方法として把握し得る。
【符号の説明】
【００４８】
１０…処理装置、１１…制御部、１１１…表示制御部、１１２…受付部、１１３…実行部、１１４…配置部、１２…タッチスクリーン、１２１…表示部、１２２…タッチパネル、１３…通信部、１４…スタートボタン、１５…画像読取部、１６…画像形成部、１７…記憶部、１７１…アイコン情報。
【図１】
2018032249.tif 000003
【図２】
2018032249.tif 000004
【図３】
2018032249.tif 000005
【図４】
2018032249.tif 000006
【図５】
2018032249.tif 000007
【図６】
2018032249.tif 000008
【図７】
2018032249.tif 000009
【図８】
2018032249.tif 000010
【図９】
2018032249.tif 000011
【図１０】
2018032249.tif 000012
【図１１】
2018032249.tif 000013
【図１２】
2018032249.tif 000014